(57)【要約】【課題】現地で施工する必要がある、特別な設備を使用して施工する必要がある、また、施工時間が短いなどの制約がある等の、現施工法に比べて緻密であり、損傷した部分のみが交換可能で、かつ寿命の長い敷部を提供する。【解決手段】１個以上のプレキャストブロックと、中央部が高く外周が低くなるように、又は一方端が他方端より高いか同一の高さとなるように形成された湯当り部が設けられた１個以上のプレキャストブロックと、前記プレキャストブロック間、又は前記プレキャストブロックと前記湯当り部が設けられたプレキャストブロック間の隙間に充填された耐火材とで構成される敷ブロックであり、湯当り部は、プレキャストブロックと同一の材料を用いて一体に形成されたものである。また、湯当り部は、１個以上のれんがを用いて形成されたものである。【選択図】　　　　なし【特許請求の範囲】
【請求項１】
以下の部材で構成されたことを特徴とする敷ブロック。
（ａ）１個以上のプレキャストブロックと、
（ｂ）中央部が高く外周が低くなるように、又は一方端が他方端より高いか同一の高さとなるように形成された湯当り部が設けられた１個以上のプレキャストブロックと、
（ｃ）前記プレキャストブロック間、又は前記プレキャストブロックと前記湯当り部が設けられたプレキャストブロック間の隙間に充填された耐火材。
【請求項２】
前記湯当り部は、前記プレキャストブロックと同一の材料を用いて一体に形成されたものであることを特徴とする請求項１に記載の敷ブロック。
【請求項３】
前記湯当り部は、１個以上のれんがを用いて形成されたものであることを特徴とする請求項１又は２に記載の敷ブロック。
【請求項４】
前記湯当り部は、外観形状が、上面が円弧状で側面の円弧面が垂直又はある勾配で直線状に切り取った形状、片屋根形状、切り妻式の屋根形状、寄せ棟式の屋根形状、山形の屋根形状のいずれかに形成されたものであることを特徴とする請求項１〜３のいずれか１項に記載の敷ブロック。
【請求項５】
前記敷ブロックは取鍋用であることを特徴とする請求項１〜４のいずれか１項に記載の敷ブロック。
【発明の詳細な説明】
【０００１】
【発明の属する技術分野】
この発明は取鍋の敷部に関する。詳しくは、敷部の施工や修理を簡単にし、溶湯による損耗を抑えることができる取鍋敷ブロックに関する。
【０００２】
【従来の技術】
従来例として、取鍋の敷部を図３に示した。図３（ａ）は取鍋敷部の平面図略図であり、図３（ｂ）は図３（ａ）の中心部の左右断面図略図である。図３を用いて、取鍋の敷部２１を以下に説明する。取鍋の敷部２１の中央部右側には、羽口２３が設けられている。下部右側には溶湯を抜き出すための羽口２４が設けられている。取鍋の敷部２１の中央左側には、湯当り部２６が形成されている。湯当り部２６は、取鍋に溶湯を受け入れる際に緩衝作用をもたらすために設けるものである。
【０００３】
ところで、上記取鍋の敷部２１は下記で示すような施工方法で行われるが、その特徴を挙げると以下のようである。
▲１▼小型れんがを用いて施工する方法では、工事費が高くなるが、耐衝撃性や耐磨耗性に優れる。
▲２▼キャスタブルを流し込んで施工する方法では、第１に流し込み作業で施工できるので、れんが施工に較べて施工時間が短くなる。第２に、れんが施工ような熟練工が不要である。第３に、損耗箇所はキャスタブル耐火物を継ぎ足す等の施工法により補修できる。
▲３▼吹きつけ施工する方法では、第１に施工時間が短い。第２に、損耗箇所はキャスタブル耐火物を継ぎ足す等の施工法により補修できる。
【０００４】
【発明が解決しようとする課題】
上記従来技術▲１▼〜▲３▼の施工法について、問題点を列記すると以下のようである。
▲１▼小型れんがを用いて施工する方法では、第１に施工に時間がかかる。第２に、熟練工が不足しているので、細やかな技術対応ができない。第３に、れんが間の目地が多いため、施工不完全による目地間の地金差しが増える。
▲２▼製鋼現場でキャスタブルを流し込み施工する方法では、水分を除去するために長時間の乾燥が必要である。
▲３▼製鋼現場で吹きつけ施工する方法では、第１に高価な専用設備が必要である。第２に、▲１▼のれんが施工や▲２▼のキャスタブル施工と比較すると、敷部が低強度となるため耐衝撃性や耐磨耗性に劣る。
【０００５】
また、上記従来技術の取鍋の敷部２１について、湯当り部２６は使用すると溶鋼による衝撃や摩耗のために次第に損耗する。損耗すると湯当り部２６は平坦上、あるいは窪みのようになる。損耗すると補修が必要である。
【０００６】
従って、本発明の目的は、現地で施工する必要がある、特別な設備を使用して施工する必要がある、また、施工時間が短いなどの制約がある等の、現施工法に比べて緻密であり、損傷した部分のみが交換可能で、かつ寿命の長い敷部を提供することにある。
【０００７】
【課題を解決するための手段】
前記課題を解決するために、本発明の第１の態様は、以下の部材で構成されたことを特徴とする敷ブロックである。
（ａ）１個以上のプレキャストブロックと、
（ｂ）中央部が高く外周が低くなるように、又は一方端が他方端より高いか同一の高さとなるように形成された湯当り部が設けられた１個以上のプレキャストブロックと、
（ｃ）前記プレキャストブロック間、又は前記プレキャストブロックと前記湯当り部が設けられたプレキャストブロック間の隙間に充填された耐火材。
【０００８】
本発明の第２の態様は、前記湯当り部は、前記プレキャストブロックと同一の材料を用いて一体に形成されたものであることを特徴とする敷ブロックである。
【０００９】
本発明の第３の態様は、前記湯当り部は、１個以上のれんがを用いて形成されたものであることを特徴とする敷ブロックである。
【００１０】
本発明の第４の態様は、前記湯当り部は、外観形状が、上面が円弧状で側面の円弧面が垂直又はある勾配で直線状に切り取った形状、片屋根形状、切り妻式の屋根形状、寄せ棟式の屋根形状、山形の屋根形状のいずれかに形成されたものであることを特徴とする敷ブロックである。
【００１１】
本発明の第５の態様は、前記敷ブロックは取鍋用であることを特徴とする敷ブロックである。
【００１２】
【発明の実施の形態】
（実施の形態１）
本発明の実施形態の１例について図１を用いて説明する。取鍋の敷ブロック１は、形状が異なる４組のプレキャストブロック２で円形に形成されている。プレキャストブロック２は、成分が例えばアルミナ・マグネシア質の材料を用い、この材料を所定の型に鋳込んで作製される。各プレキャストブロック２の間にはキャスタブル耐火材５が充填されている。キャスタブル耐火材は、成分が例えばプレキャストブロックと同一の材料が用いられる。
【００１３】
取鍋の敷ブロック１の中央部右側、及び下部左側にはガス吹込みプラグ用羽口が設けられている。羽口３は、例えば、ポーラスプラグを設けて、例えばＡｒガスを溶湯中に吹き込むために用いられるものである。下部右側には溶湯を抜き出すための鋳湯用羽口４が設けられている。鋳湯用羽口４には、例えば、溶体の鋳造用ノズルが設けられる。
【００１４】
取鍋の敷ブロック１中央左側のプレキャストブロック２には、湯当り部６が形成されている。湯当り部６は、プレキャストブロック２と一体に、かつ同一材料を用いて形成されている。湯当り部６を設けた理由は、ここに落下した溶鋼が極力スムーズに分散することにある。
【００１５】
湯当り部６は、例えば、図１（ａ）に示したように外観形状を蒲鉾状として衝突する溶湯を分散することができる。図１（ｂ）に示したように、蒲鉾の端面の円弧面をある勾配で直線状に切り取り、正面から見た外観形状を台形状とし、より溶体を流れ易くすることもできる。また、蒲鉾の端面の円弧面を垂直に形成して、正面から見た外観形状を長方形としても良い。
【００１６】
湯当り部６の外観形状は、蒲鉾状以外に片屋根形状、切り妻式の屋根形状、寄せ棟式の屋根形状、あるいは山形の屋根形状その他適宜溶湯が流れ易い形状を選定することができる。もちろん、特に勾配を設けないで屋根に当る面を水平な面にしても良い。湯当り部は、プレキャストブロック面に比べて高い位置に設けても良く、プレキャスト面と同一の高さに設けても良い。
【００１７】
湯当り部６は、取鍋に溶体を受け入れる際、溶体を衝突させて四方に飛び散らせることで、プレキャストブロック２に直接衝撃力が伝わることによるプレキャストブロック２の破損、損耗を弱めるために設けるものである。そのため、湯当り部６は円弧状としたり、屋根状の断面に形成したりする。また、湯当り部は、プレキャストブロック面に比べて高い位置に設けても良く、プレキャスト面と同一の高さに設けても良いことはもちろんである。、
【００１８】
（実施の形態２）
本発明の実施の形態の２について図２を用いて説明する。実施の形態の２は、実施の形態１で説明した湯当り部６の耐衝撃性、耐磨耗性を高めたものである。図２（ａ）は取鍋敷ブロックの平面図略図であり、図２（ｂ）は図２（ａ）の中心部の左右断面図略図である。敷ブロック１は、３組のプレキャストブロック２及び湯当り部７と一体に形成されたプレキャストブロック８とで構成される。
【００１９】
各プレキャストブロック２とプレキャストブロック８との間の目地にはキャスタブル耐火材５が充填されている。キャスタブル耐火材５は、プレキャストブロック２、８と成分が同一の、例えばアルミナ・マグネシア質等の材料が用いられる。また、キャスタブル耐火材５を充填する方法に変えて、各プレキャストブロック２、８との間の目地間隔を狭くして、モルタルを充填しても良い。
【００２０】
敷ブロック１の中央部右側、及び下部左側には、ガス吹込みプラグを設けるための羽口３が設けられている。羽口３は、例えば、ポーラスプラグを設けて、例えばＡｒガスを溶体中に吹き込むために用いられるものである。下部右側には溶体を抜き出すための鋳湯用羽口４が設けられている。鋳湯用羽口４には、例えば、溶体の鋳造用ノズルが設けられる。
【００２１】
取鍋敷ブロック１中央左側のプレキャストブロック８には湯当り部７が形成されている。湯当り部７は、取鍋に溶体を受け入れる際、溶体を衝突させて四方に飛び散らせることで、プレキャストブロック２、プレキャストブロック８に直接衝撃力が伝わってプレキャストブロック２、プレキャストブロック８を破損させたり、あるいは損耗が早まることを弱めるために設けるものである。
【００２２】
湯当り部７はプレキャストブロック８と一体に寸法の異なるれんが１１、１２、１３、１４を並べて形成したものである。湯当り部７は、中央部がほぼ頂上となるようにれんがが配置されている。また、湯当り部７は中央部がほぼ頂上の対称となるように階段状に配列されている。
【００２３】
湯当り部７は、アルミナ・マグネシア質、アルミナ・マグネシア・カーボン質等の耐火物を用いる法が望ましい。湯当り部は、特に限定はないが小型れんがの集合体としても良く、また、１個の大型れんがとしてもかまわない。湯当り部７の外観は、落下してくる溶鋼による衝撃を和らげるため、中央部を高くし外周ほど低くなるような山形や蒲鉾型等とすることが望ましい。
【００２４】
湯当り部７の形状は、例えば、外観形状を蒲鉾状として衝突する溶湯を分散することができる。蒲鉾の端面の円弧面をある勾配で直線状に切り取り、正面から見た外観形状を台形状とし、より溶体を流れ易くすることもできる。また、蒲鉾の端面の円弧面を垂直に形成して、正面から見た外観形状を長方形としても良い。
【００２５】
また、湯当り部７の外観形状は、蒲鉾状以外に片屋根形状、切り妻式の屋根形状、寄せ棟式の屋根形状、あるいは山形の屋根形状その他適宜溶湯が流れ易い形状を選定することもできる。もちろん、特に勾配を設けないで屋根に当る面を水平な面にしても良い。湯当り部は、プレキャストブロック面に比べて高い位置に設けても良く、プレキャスト面と同一の高さに設けても良い。
【００２６】
れんがと一体に形成したプレキャストブロック８は、例えば以下のような方法で作製することができる。まず、耐火材を混練、プレス成形、乾燥、必要な場合には焼成して、所定の大きさ、形状のれんがを得る。湯当り部に大型れんがを用いる場合には、大型れんがをプレキャストブロック鋳型の所定の場所に配置し、残余にキャスタブル耐火材を振動鋳込みし、養生、乾燥を経てプレキャストブロック８を得る。
【００２７】
湯当り部に小型れんがの集合体を用いる場合には、れんが同士をモルタルを用いて所定の湯当り部形状となるように接合し、プレキャストブロック鋳型の所定の場所に配置し、残余にキャスタブル耐火材を振動鋳込みし、養生、乾燥してプレキャストブロック８を得る。
【００２８】
本発明の取鍋敷ブロック１は、以下に示した方法により組み立てることができる。まず、プレキャストブロック２は、成分がアルミナ・マグネシア質の耐火材を用い、予め作製した型枠に鋳込んで乾燥し成形品を得る。プレキャストブロック２と上記の方法で得たれんがと一体に形成したプレキャストブロック８は、あらかじめアルミナ質やマグネシア質のモルタルを塗布したパーマれんが上の所定位置に置く。
【００２９】
全てのプレキャストブロックを所定の位置に置いたら、目地部へキャスタブル耐火物を流し込む。なお、プレキャストブロック同士の間隔を小さくして、例えば２〜５ｍｍとして、目地にモルタルを充填しても良い。次に、目地のキャスタブル耐火物やモルタルの強度を上げるため半日〜２日間養生する。このようにして、本発明の実施の形態２の敷きブロックを得ることができる。
【００３０】
【発明の効果】
プレキャストブロックを用いることにより、工期の短縮とともに施工の安全性も確保できた。さらに、れんがを一体としたプレキャストブロックを用いることにより、耐衝撃性、耐磨耗性が向上した。その結果、プレキャストブロック全体の寿命が向上し、補修頻度が低下した。
【図面の簡単な説明】
【図１】本発明の１実施形態の取鍋敷ブロックである。
【図２】本発明の別な実施形態の取鍋敷ブロックである。
【図３】従来技術の取鍋敷ブロックである。
【符号の説明】
１　取鍋敷部
２　プレキャストブロック
３　ポーラスプラグ用羽口
４　鋳湯用羽口
５　キャスタブル耐火材
６　キャスタブル耐火材製湯当り部
７　れんが製湯当り部
１１　れんが
１２　れんが
１３　れんが
１４　れんが
２１　取鍋敷部
２２　小型れんが等
２３　ポーラスプラグ用羽口
２４　鋳湯用羽口
２６　湯当り部
【図１】
2004106000.tif 000002
【図２】
2004106000.tif 000003
【図３】
2004106000.tif 000004